(57)【要約】
【課題】　視認のための蛍光塗料が剥がれない磯釣り又は海釣り専用の浮子の構造を提供する。
【解決手段】主に底部２０及び蓋３０により構成し、該蓋３０は透明の凹型を呈し、且つ空間部３１は該底部２０の上面部２２へ固定し、該蓋３０の内側面へ一層の蛍光塗料Fを塗布し、浮子を水へ投入又は魚を岸へ釣り上げる過程の中で該蓋３０の内側面の蛍光塗料が水中の雑物又は岸辺の岩礁にぶつかり塗装が剥離することがなく、浮子の該蓋３０の内側面に設ける蛍光塗料Fにより視覚的に魚信を検知しやすい。
【選択図】　　図５
0003099372.tif 000002
【実用新案登録請求の範囲】
【請求項１】
　主に底部と蓋により構成し、
　該底部は、
　底面及び上部面を具有しており、且つ該底面の中央へ挿通リングを突出して設けており、
　該蓋は、
　透明の凹型を呈しており、該凹型に具有する空間部を該底部の上部面上へ固定し、
　且つ該蓋の内側面へ一層の蛍光塗料を塗布してなる
　ことを特徴とする磯釣り又は海釣り専用の浮子の構造。
【請求項２】
　　前記底部の上部面上へ更に凹型溝を設け、該凹型溝端の内側の壁面上へ雌ネ　ジを設け、更に前記蓋が具有する空間部に下方向へ延びる環リブを設け、且つ　該環リブの外側へ雄ネジを設けてなる
　ことを特徴とする請求項１記載の磯釣り又は海釣り専用の浮子の構造。
【請求項３】
　前記底部の素材を更に透明とする
　ことを特徴とする請求項１又は２に記載の磯釣り又は海釣り専用の浮子の構造。
【請求項４】
　前記底部の凹型溝の中央へ更に突出する凸型部を設ける
　ことを特徴とする請求項２記載の磯釣り又は海釣り専用の浮子の構造。
【請求項５】
　前記底部の凹型溝の溝底部中央へ更に逆向きの円錐形の溝を設け、その周囲は放射状に相対する複数の凸型リブを配列して設けている
　ことを特徴とする請求項２記載の磯釣り又は海釣り専用の浮子の構造。
【請求項６】
　主に底部と蓋により構成し、
　該底部は、
　底面及び上部面を具有しており、
　該上部面上へ凹型溝を設け、該凹型溝内側の壁面上へ雌ネジを設け、
　また、該凹型溝の底部中央へ上向きに延びる中空固定桿を設け、且つ該中空固定桿内部に設ける挿通孔は該底面を貫通しており、
　該蓋は、
　透明な凹型を呈し、該凹型の空間部は該底部の上部面上へ固定され、
　該蓋の内側面上へ一層の蛍光塗料を塗布し、
　また、該凹型の内側面の中央へ下向きに延びる中空固定桿を設け、且つ該中空固定桿内部に設ける挿通孔は該凹型の外側面まで貫通しており、
　また、該凹型の空間部は下向きに延びる環リブを設け、該環リブの外側面上へ雄ネジを設けてなる
　ことを特徴とする磯釣り又は海釣り専用の浮子の構造。
【請求項７】
　上記底部の凹型溝中央へ更に錘を収容する環溝を設け、その上に固定板を設けて固定してなる、
　ことを特徴とする請求項６記載の磯釣り又は海釣り専用の浮子の構造。
【考案の詳細な説明】
【技術分野】
【０００１】
　本考案は磯釣りまたは海釣りの専用浮子に係り、特に浮子の蛍光塗料が剥離することがないので、魚信を探知し易く、また同時に浮子自体の寿命が長いので、浮子にかかる費用を削減できる磯釣り又は海釣り専用の浮子の構造に係る。
【背景技術】
【０００２】
図１から図３に示すように、今の磯釣り又は海釣りには浮子１０を利用し、浮力を具有する木材により製造し、その底面中央へ凹型溝１１を設け、おもりHを設け、且つ該凹型溝１１の開口部へ雌ネジを設け、該凹型溝１１の開口部へボルト１２を螺着し、該ボルト１２の前方は螺桿、後方は挿通リング１３を具有しており、該挿通リング１３へ先糸をかける。
　別に該浮子１０の上段部の外側面へ蛍光塗料１４を塗布し、下段部は木の原色のまま又は一段と濃い色の塗料１５を塗布する。
　図4に示すように、先糸L1及び道糸L２は該浮子１０の挿通リング１３へしっかりと固定され、その後、該浮子１０を水中へ入れる、この時該浮子１０の蛍光塗料１４を塗布する上段部は水面W上を漂い、該浮子１０の下段部は水面W下へ沈み、魚がかかると該浮子１０の蛍光塗料１４を塗布する上段部は部分的又は全体が水面W下へ沈み、魚信を視覚的に判断させ、該浮子１０の蛍光塗料１４を塗布する上段部は魚信を視覚的に判断するために重要な役割となっている。
【考案の開示】
【考案が解決しようとする課題】
【０００３】
　しかしながら上記公知の構造によれば、使用する上で磯釣りをしている釣り人が海へ該浮子１０を投入するとき、該浮子１０は予期せぬ方向へ飛んでいき岸辺又は海中の岩礁へ接触することがあり、その度に、該浮子１０の上段部に塗布する蛍光塗料１４はだんだんと剥がれ落ちていき、視覚的判断をすることが難しくなる為、釣り人は新しい浮子に交換するため数個の浮子１０を常に携帯している。
　この他に魚を岸へ釣り上げる過程の中でも該浮子１０は岸辺又は海中の岩礁へ接触して該浮子１０の上段部に塗布する蛍光塗料１４は剥がれ落ちる。
　上述の該浮子１０の蛍光塗料１４は剥がれ易く、頻繁に新しいものと交換しなくてはならないので、浪費となる。
　そこで、本考案は、上記欠点を改善すべく、蛍光塗料が剥がれなくて、魚信を探知し易く、浮子にかかる費用の削減する磯釣り又は海釣り専用の浮子の構造の提供を課題とする。
【課題を解決するための手段】
【０００４】
　上記課題を解決するため、本考案は下記の磯釣りまたは海釣り専用の浮子の構造を提供する。
　主に蓋及び底部により構成し、
　該蓋は、
　透明な凹型を呈し、該凹型の空間部は底部の上部面上へ固定し、該凹型の内側面へ一層の蛍光塗料を塗布し、浮子を水へ投入又は魚を岸へ引き上げる過程の中において、水中の雑物又は岸辺の岩礁に接触するが該蛍光塗料は該蓋の内側面に設けられているので保護され、蛍光塗料が剥がれ落ちることない、よって魚信を視覚的に探知し易く、更に何度も新しい浮子に交換する必要が無いので、浮子にかかる費用を削減することが可能である。
【考案の効果】
【０００５】
　上記のように、本考案によると、魚信を探知し易く、また、蛍光塗料が剥離することがないので、新しい浮子に買い換える必要が無く、浮子にかかる費用の削減が可能となった。
【考案を実施するための最良の形態】
【０００６】
　図５、６に示すように、本考案は主に底部２０及び蓋３０により構成され、該底部２０は底面２１及び上部面２２を具有しており、該底面２１の中央に突出する挿通リング２３を設け、該上部面２２へ凹型溝２４を設け、且つ該凹型溝２４内の壁面へ雌ネジ２５を設けており、
　該蓋３０は透明の凹型状を呈しており、該凹型状の空間部３１へ下方向に延びる環リブ３２を設け、該環リブ３２の外側面へ雄ネジ３３を設ける。
　また、該蓋３０の底部へ更に超音波接合の加工技術を採用し、該底部２０の上部面２２へ結合し一体となる。
【０００７】
　図７に示すように、本考案を使用するときまず、先糸L1及び道糸L2を該底部２０の挿通リング２３へしっかりと固定してから、海へ投入する。この時、該蓋３０は水面W上を漂い、該蓋３０の内側面の蛍光塗料Fは透明の蓋３０を通して魚がかかったか否かの情報を目で判断することができる。該底部２０は水面W下に沈み、先糸を引き上げる時、仮に海中又は岸辺の岩礁にぶつかり接触しても該蓋３０の外側面が内側面の蛍光塗料を保護するので、何度使用しても剥がれたりすることなく利用できるので、浮子にかかる費用を削減できる。
【０００８】
　図8に示すように、該底部２０は更に透明な素材により形成し、外界の光線を該底部２０へ照らし、その後、屈折作用により光線は更に蓋の内側面の蛍光塗料Fを照らし、該蛍光塗料Fは光に照らされることにより更に識別し易くなり、魚信を探知し易くなる。
【０００９】
　図９に示すように、該底部４０の凹型溝４４の中央へ更に突出して設ける凸型部４６を設け、該外界の光線は該底部を照らし、更に該凸型部４６を照らし、その後、屈折して蓋３０の内側面の蛍光塗料Fを照らし、該蛍光塗料Fは光に照らされることにより更に識別し易くなり、魚信を探知し易くなる。
【００１０】
　図１０、１１に示すように、更に該底部５０の凹型溝５４の底部中央に逆円錐溝５７を設け、その環に相対して配列する複数の凸型リブ５８を設け、外界の光線が該底部５０を照らし、更に該逆円錐溝５７上の凸型リブ５８で屈折して蓋３０内側面の蛍光塗料Fを照らし、該蛍光塗料Fは光に照らされることにより更に識別し易くなり、魚信を探知し易くなる。
【００１１】
　図１２、１３に本考案のもう一つの実施例を示す。底部６０及び蓋７０により構成され、該底部６０が具有する底面６１及び上部面６２、該上部面６２上に具有する凹型溝６３、該凹型溝口内側の壁面上へ設ける雌ネジ６４、又該凹型溝６３の溝底部中央に上へ向かって延びる中空固定桿６５を設け、且つ中空固定桿６５内部の挿通孔６６は該底面６１を貫通しており、該蓋７０は透明の凹型状を呈し、該凹型状の内側面の中央に下へ向かって延びる中空固定桿７１を設け、その中空固定桿７１内部の挿通孔７２は凹型状の外側面へ貫通しており、又該凹型状の空間部７３は該底部６０の上部面６２へ向かって蓋をし、該蓋の内側面には一層の蛍光塗料Fが塗布されており、別に凹型状の空間部７３は下へ向かって延びる環リブ７４を設け、該環リブ７４の外側へ雄ネジ７５を具有する。
【００１２】
　　図１３に本考案のもう一つの実施例を示す。まず、道糸L2及び先糸L1を該蓋７０の挿通孔７２及び底部６０の挿通孔６６へ通し、その後更にそれぞれ該挿通孔７２及び挿通孔６６の位置へ留めブロックKを設け、浮子が留めブロックKに挟まって固定され、海中へ投入される。この時、該蓋７０は水面W上を漂う、該蓋の内側面上の蛍光塗料Fにより透明な蓋７０は魚信を探知する。該底部６０は水面W下へ沈み、魚がかかると該蓋７０の局部又は全体が水面W下へ沈み先糸を引く過程の中で仮に海中又は岸辺の岩礁にぶつかり接触をしても該蓋７０の外側面上に傷がついても内側面上の蛍光塗料Fへ傷がつくことはなく、即ち幾度となく接触しても該蛍光塗料Fは当初のままであり、魚信を探知し易い。
【００１３】
　図１４に本考案のもう一つの実施例を示す。更に含まれるものとして固定板１００、且つ底部６０の凹型溝６３の中央に更に環溝６７を設け、該環溝６７へおもりｈを置き、その後、更に該底部６０の凹型溝６３上へ該固定板１００を置き、蓋７０は該底部６０を螺合し、該環型のおもりｈにより安定して浮くことができる。
【図面の簡単な説明】
【００１４】
【図１】公知における磯釣りの浮子の正面図である。
【図２】公知における磯釣りの浮子の断面指示図である。
【図３】公知における磯釣りのおもりを有する浮子の断面指示図である。
【図４】公知における磯釣りの浮子が水面に浮かぶ指示図である。
【図５】本考案の立体分解図である。
【図６】本考案の組合せ断面図である。
【図７】本考案が水面に浮かぶ指示図である。
【図８】本考案の透明な底部に光線を照らす指示図である。
【図９】本考案の透明な底部の中央に突出部を設ける断面指示図である。
【図１０】本考案の透明な底部の凹型溝の溝底部中央へ更に逆向き円錐形の溝を設ける立体指示図である。
【図１１】図１０の組合せ断面指示図である。
【図１２】もう一つの実施例における分解断面指示図である。
【図１３】もう一つの実施例における組合せ断面指示図である。
【図１４】もう一つの実施例におけるおもりブロックを有する断面指示図である。
【符号の説明】
【００１５】
　１０　浮子
　１１　凹型溝
　１２　ボルト
　１３　挿通リング
　１４、F  蛍光塗料
　１５　塗料
　２０、４０、５０、６０　底部
　３０、７０　蓋
　２１、６１　底面
　２２、６２　上部面
　２３　挿通リング
　２４　凹型溝
　２５、６４　雌ネジ
　３１、６７　空間部
　F  蛍光塗料
　３２　環リブ
　３３、７５　雄ネジ
　４６　凸出部
　５７　逆向き円錐形の溝
　５８　凸リブ
　６３　凹型溝
　６５、７１　固定桿
　６６　挿通孔
　６７　環溝
　７３　空間部
　７４　環リブ
　１００　固定板
　H  おもり
　ｈ　おもりブロック
　K  留めブロック
　L１　先糸
　L２　道糸
　W  水面
【図１】
0003099372.tif 000003
【図２】
0003099372.tif 000004
【図３】
0003099372.tif 000005
【図４】
0003099372.tif 000006
【図５】
0003099372.tif 000007
【図６】
0003099372.tif 000008
【図７】
0003099372.tif 000009
【図８】
0003099372.tif 000010
【図９】
0003099372.tif 000011
【図１０】
0003099372.tif 000012
【図１１】
0003099372.tif 000013
【図１２】
0003099372.tif 000014
【図１３】
0003099372.tif 000015
【図１４】
0003099372.tif 000016